【手続補正書】
【提出日】平成16年4月8日(2004.4.8)
【手続補正１】
【補正対象書類名】明細書
【補正対象項目名】発明の名称
【補正方法】変更
【補正の内容】
【発明の名称】画像表示装置およびそれを用いた電子機器、データ信号線駆動回路、駆動回路
【手続補正２】
【補正対象書類名】明細書
【補正対象項目名】特許請求の範囲
【補正方法】変更
【補正の内容】
【特許請求の範囲】
【請求項１】
画像を表示する複数の画素からなる画素アレイと、該画素アレイに映像信号を供給するデータ信号線駆動回路と、該画素への映像信号の書き込みを制御する走査信号線駆動回路と、該データ信号線駆動回路と該走査信号線駆動回路にタイミング信号を供給するタイミング回路と、該データ信号線駆動回路に映像信号を供給する映像信号処理回路とを有する画像表示装置において、
上記データ信号線駆動回路および走査信号線駆動回路のうちの少なくとも一方の駆動回路について、該駆動回路の少なくとも一部分を複数個備え、該駆動回路同士が、互いに異なる表示形態をとることを特徴とする画像表示装置。
【請求項２】
少なくとも一部分が複数個備えられた上記駆動回路について、
該駆動回路のうちで、各時刻において動作するのは１つのみであることを特徴とする請求項１に記載の画像表示装置。
【請求項３】
少なくとも一部分が複数個備えられた上記駆動回路について、
少なくとも同一フレーム期間においては、同一の駆動回路を駆動させることを特徴とする請求項１または２に記載の画像表示装置。
【請求項４】
少なくとも一部分が複数個備えられた上記駆動回路について、
同一フレーム期間内において、駆動させる駆動回路を切り替えることを特徴とする請求項１または２に記載の画像表示装置。
【請求項５】
少なくとも一部分が複数個備えられた上記駆動回路について、
該駆動回路の少なくとも２つは、画面内の異なる領域にそれぞれ画像データを書き込むことを特徴とする請求項１、２または４に記載の画像表示装置。
【請求項６】
上記データ信号線駆動回路の少なくとも一部分を複数個備え、
上記データ信号線駆動回路の少なくとも２つは、同一フレーム期間内において、画面内の少なくとも一部の、同一の領域に画像データを書き込むことを特徴とする請求項１または２に記載の画像表示装置。
【請求項７】
上記複数のデータ信号線駆動回路の少なくとも２つが、同時に動作することを特徴とする請求項６に記載の画像表示装置。
【請求項８】
上記複数のデータ信号線駆動回路の少なくとも１つは、同一フレーム期間内において、他のデータ信号線駆動回路によって書き込まれた画像に上書きして画像データを書き込むことを特徴とする請求項６または７に記載の画像表示装置。
【請求項９】
上記複数のデータ信号線駆動回路の少なくとも１つは、水平走査期間単位で画像の上書きを行うことを特徴とする請求項８に記載の画像表示装置。
【請求項１０】
上記複数のデータ信号線駆動回路の少なくとも１つは、各水平走査期間内の一部の期間のみで画像の上書きを行うことを特徴とする請求項８に記載の画像表示装置。
【請求項１１】
上記データ信号線駆動回路の少なくとも一部分を複数個備え、
上記複数のデータ信号線駆動回路の少なくとも１つは、各水平走査期間の帰線期間内に画像データを書き込むことを特徴とする請求項１ないし１０のいずれかに記載の画像表示装置。
【請求項１２】
上記データ信号線駆動回路の少なくとも一部分を複数個備え、
上記複数のデータ信号線駆動回路の少なくとも１つは、他のデータ信号線駆動回路よりも一定期間遅れて画像データを書き込むことを特徴とする請求項１ないし１０のいずれかに記載の画像表示装置。
【請求項１３】
少なくとも一部分が複数個備えられた上記駆動回路について、
該駆動回路は、画素アレイに対して互いに反対側に配置されていることを特徴とする請求項１ないし４のいずれかに記載の画像表示装置。
【請求項１４】
少なくとも一部分が複数個備えられた上記駆動回路について、
該駆動回路は、画素アレイに対して同じ側に配置されていることを特徴とする請求項１ないし４のいずれかに記載の画像表示装置。
【請求項１５】
少なくとも一部分が複数個備えられた上記駆動回路について、
該駆動回路は、それぞれ、その一部の回路が共通であることを特徴とする請求項１または１４に記載の画像表示装置。
【請求項１６】
少なくとも一部分が複数個備えられた上記駆動回路について、
外部より入力される信号により、該駆動回路のいずれを駆動するかを制御することを特徴とする請求項１ないし１５のいずれかに記載の画像表示装置。
【請求項１７】
入力される表示データの種類に応じて、上記の互いに異なる表示形態のうちのいずれかを選択することを特徴とする請求項１ないし１６のいずれかに記載の画像表示装置。
【請求項１８】
使用環境に応じて、上記の互いに異なる表示形態のうちのいずれかを選択することを特徴とする請求項１ないし１６のいずれかに記載の画像表示装置。
【請求項１９】
上記映像信号処理回路は、入力された映像信号を、上記の互いに異なる表示形態としての複数の種類の表示フォーマットに変換することを特徴とする請求項１ないし１８のいずれかに記載の画像表示装置。
【請求項２０】
上記タイミング回路は、入力されたタイミング信号を、上記の互いに異なる表示形態としての表示フォーマットに対応した信号に変換することを特徴とする請求項１ないし１８のいずれかに記載の画像表示装置。
【請求項２１】
上記タイミング回路は、外部からの制御信号を受けて、タイミング信号の供給先を切り替えるタイミング信号供給先切り替え手段を具備することを特徴とする請求項１ないし１８のいずれかに記載の画像表示装置。
【請求項２２】
上記映像信号処理回路は、外部からの制御信号を受けて、映像信号の供給先を切り替える映像信号供給先切り替え手段を具備することを特徴とする請求項１ないし１８のいずれかに記載の画像表示装置。
【請求項２３】
使用環境を検知する検知手段と、
上記検知手段からの信号に基づいて上記表示形態を切り替える表示形態切り替え手段とを具備することを特徴とする請求項１ないし２２のいずれかに記載の画像表示装置。
【請求項２４】
入力される映像信号の種類を判別する映像種類判別手段と、
上記映像種類判別手段からの信号に基づいて上記表示形態を切り替える表示形態切り替え手段とを具備することを特徴とする請求項１ないし２２のいずれかに記載の画像表示装置。
【請求項２５】
少なくとも一部分が複数個備えられた上記駆動回路について、
該駆動回路は、それぞれ独立の電源端子および入力端子を備えることを特徴とする請求項１ないし１６のいずれかに記載の画像表示装置。
【請求項２６】
少なくとも一部分が複数個備えられた上記駆動回路について、
該駆動回路は、電源端子および入力端子の一部が共通化されていることを特徴とする請求項１ないし１６のいずれかに記載の画像表示装置。
【請求項２７】
少なくとも一部分が複数個備えられた上記駆動回路について、
該駆動回路のうち、動作していないほうの駆動回路には、電源の供給を停止することを特徴とする請求項１ないし１６のいずれかに記載の画像表示装置。
【請求項２８】
少なくとも一部分が複数個備えられた上記駆動回路について、
該駆動回路のうち、表示に供しないほうの駆動回路と画素アレイとを電気的に切り離す手段を具備することを特徴とする請求項１ないし１６のいずれかに記載の画像表示装置。
【請求項２９】
上記の互いに異なる表示形態としての複数の表示フォーマットとして、一方は他方よりも高画質であることを特徴とする請求項１ないし２６のいずれかに記載の画像表示装置。
【請求項３０】
上記の互いに異なる表示形態としての複数の表示フォーマットとして、一方は他方よりも低消費電力であることを特徴とする請求項１ないし２６のいずれかに記載の画像表示装置。
【請求項３１】
上記複数の表示フォーマットとして、一方は他方よりも表示解像度が高いことを特徴とする請求項２９または３０に記載の画像表示装置。
【請求項３２】
上記複数の表示フォーマットとして、一方はカラー表示であり、他方は白黒表示であることを特徴とする請求項２９または３０に記載の画像表示装置。
【請求項３３】
上記データ信号線駆動回路の少なくとも一部分を複数個備え、
上記複数個の少なくとも一つにおいて、複数のデータ信号線に同一の画像データを書き込むことを特徴とする請求項３１または３２に記載の画像表示装置。
【請求項３４】
上記データ信号線駆動回路の少なくとも一部分を複数個備え、
上記複数個の少なくとも一つにおいて、水平方向に連続する同一色の複数の画素に対応するデータ信号線に同一の画像データを書き込むことを特徴とする請求項３１または３２に記載の画像表示装置。
【請求項３５】
上記データ信号線駆動回路の少なくとも一部分を複数個備え、
上記複数個の少なくとも一つにおいて、水平方向に連続する３色の複数の画素に対応するデータ信号線に同一の画像データを書き込むことを特徴とする請求項３２に記載の画像表示装置。
【請求項３６】
表示解像度が低いほうの表示フォーマットにおいて、
連続する複数の走査信号線には、同じタイミングで走査信号が書き込まれ、それぞれの走査期間において、上記データ信号線駆動回路から出力された画像データが、各データ信号線で保持されることを特徴とする請求項３１に記載の画像表示装置。
【請求項３７】
表示解像度が低いほうの表示フォーマットにおいて、
連続する複数の走査信号線には、異なるタイミングで走査信号が書き込まれ、それぞれの走査期間において、上記データ信号線駆動回路から同一の画像データが出力されることを特徴とする請求項３１に記載の画像表示装置。
【請求項３８】
表示解像度が低いほうの表示フォーマットにおいて、
連続する複数の走査信号線には、異なるタイミングで走査信号が書き込まれ、複数の走査期間を含む期間中、上記データ信号線駆動回路から出力された画像データが、各データ信号線において保持されることを特徴とする請求項３１に記載の画像表示装置。
【請求項３９】
表示解像度が低いほうの表示フォーマットにおいて、
連続する複数の走査信号線には、異なるタイミングで走査信号が書き込まれ、それぞれの走査期間において、上記データ信号線駆動回路から、極性の異なる同一階調に相当する画像データが出力されることを特徴とする請求項３１に記載の画像表示装置。
【請求項４０】
表示解像度が低いほうの表示フォーマットにおいて、
上記各データ信号線に書き込まれる画像データは、１フレーム期間中、同一極性であることを特徴とする請求項３１に記載の画像表示装置。
【請求項４１】
上記複数の表示フォーマットとして、一方は他方よりも表示階調が多いことを特徴とする請求項２９または３０に記載の画像表示装置。
【請求項４２】
上記複数の表示フォーマットとして、一方は中間調表示に対応しており、他方は２値表示であることを特徴とする請求項２９または３０に記載の画像表示装置。
【請求項４３】
上記データ信号線駆動回路の少なくとも一部分を複数個備え、
上記データ信号線駆動回路内に、基準電圧選択回路と中間電位生成回路とを具備しており、
表示階調が少ない時には、上記基準電圧選択回路のみを動作させ、上記中間電位生成回路は動作させず、
一方、表示階調が多い時には、上記基準電圧選択回路および上記中間電位生成回路を共に動作させることを特徴とする請求項４１または４２に記載の画像表示装置。
【請求項４４】
上記データ信号線駆動回路の少なくとも一部分を複数個備え、
上記データ信号線駆動回路内にアンプ回路を具備し、表示階調が少ない時には上記アンプ回路は動作させず、一方、表示階調が多い時には上記アンプ回路を動作させることを特徴とする請求項４１ないし４３のいずれかに記載の画像表示装置。
【請求項４５】
上記複数の表示フォーマットにおいて、入力される映像信号が、一方はアナログ信号であり、他方はデジタル信号であることを特徴とする請求項２９または３０に記載の画像表示装置。
【請求項４６】
上記複数の表示フォーマットにおいて、入力される映像信号が、一方は画像データであり、他方はテキストデータであることを特徴とする請求項２９または３０に記載の画像表示装置。
【請求項４７】
上記複数の表示フォーマットにおいて、入力される映像信号が、一方は自然画データであり、他方は図形データであることを特徴とする請求項２９または３０に記載の画像表示装置。
【請求項４８】
上記の互いに異なる表示形態としての複数の表示モードにおいて、一方は透過型表示モードであり、他方は反射型表示モードであることを特徴とする請求項２９または３０に記載の画像表示装置。
【請求項４９】
少なくとも一部が複数個備えられた上記駆動回路について、いずれの駆動回路においても、表示領域の少なくとも一部分には画像データが書き込まれないことを特徴とする請求項１または２に記載の画像表示装置。
【請求項５０】
上記駆動回路において、各信号線の駆動タイミングに対応する信号を用いて、駆動回路の出力を制御することにより、一部の領域に画像データを書き込まないことを特徴とする請求項４９に記載の画像表示装置。
【請求項５１】
上記駆動回路において、駆動回路の走査を停止するリセット信号を用いて、駆動回路の出力を制御することにより、一部の領域に画像データを書き込まないことを特徴とする請求項４９に記載の画像表示装置。
【請求項５２】
上記駆動回路において、駆動回路の走査を開始するスタート信号を、駆動回路内の走査回路の中間の段から入力することにより、一部の領域に画像データを書き込まないことを特徴とする請求項４９に記載の画像表示装置。
【請求項５３】
少なくとも一部分が複数個備えられた上記駆動回路について、
該駆動回路が、上記画素と同一基板上に形成されていることを特徴とする請求項１ないし５２のいずれかに記載の画像表示装置。
【請求項５４】
少なくとも一部分が複数個備えられた上記駆動回路について、
該駆動回路を構成する能動素子が、多結晶シリコン薄膜トランジスタであることを特徴とする請求項５３に記載の画像表示装置。
【請求項５５】
少なくとも一部分が複数個備えられた上記駆動回路について、
該駆動回路を構成する上記能動素子が、ガラス基板上に、６００℃以下のプロセスで形成されることを特徴とする請求項５４に記載の画像表示装置。
【請求項５６】
基準電圧選択回路と中間電位生成回路とを具備しており、
表示階調が少ないときには、上記基準電圧選択回路のみを動作させ、上記中間電位生成回路は動作させず、
一方、表示階調が多いときには、上記基準電圧選択回路および上記中間電位生成回路を共に動作させることを特徴とするデータ信号線駆動回路。
【請求項５７】
アンプ回路を具備し、表示階調が少ない時には上記アンプ回路は動作させず、一方、表示階調が多い時には上記アンプ回路を動作させることを特徴とする請求項５６に記載のデータ信号線駆動回路。
【請求項５８】
請求項５６または５７に記載のデータ信号線駆動回路を備えたことを特徴とする画像表示装置。
【請求項５９】
ｎ（ｎは２以上の整数）段の走査回路と、
上記走査回路の第１段へのスタート信号の入力を制御する第１の制御スイッチ手段と、
上記走査回路の第ｍ（ｍは１以上かつｎ以下の整数）段と第（ｍ＋１）段との間に設けられた第２の制御スイッチ手段と、
上記第（ｍ＋１）段へのスタート信号の入力を制御する第３の制御スイッチ手段とを含み、
第１の制御信号により上記第１の制御スイッチ手段および上記第２の制御スイッチ手段とを制御し、
第２の制御信号により上記第３の制御スイッチ手段を制御することを特徴とする駆動回路。
【請求項６０】
請求項５９に記載の駆動回路を備えたことを特徴とする画像表示装置。
【請求項６１】
出力装置として画像表示装置を備えた電子機器において、
上記画像表示装置が、請求項１ないし５５、５８、６０のいずれかに記載の画像表示装置であることを特徴とする電子機器。
【請求項６２】
外部供給電源により駆動されている期間と、内蔵バッテリーにより駆動されている期間とで、表示モードまたは表示フォーマットを切り替えることを特徴とする請求項６１に記載の電子機器。
【請求項６３】
待機時と動作時とで、表示モードまたは表示フォーマットを切り替えることを特徴とする請求項６１に記載の電子機器。
【請求項６４】
使用時の周辺の明るさに応じて、表示モードまたは表示フォーマットを切り替えることを特徴とする請求項６１に記載の電子機器。